(57)【要約】      （修正有）【課題】スターリング伝熱膨張管を成してなり、給湯機器の燃料を半減し、並びに給湯量を倍増しエネルギー問題に貢献し、バイオマスの燃料を使用すれば温暖化にも貢献する。【解決手段】炉内全周に弧形の並列に並べた配管を設置し、ロストルを兼ねた構造とし、其の中にバイオマスの木材や廃材を投入しポテンシャルで燃焼させ炎熱を空気の流速で回転させ、赤外線が発生する炉内で強制燃焼させ、ガスを滲出させて炎熱を光熱に変換し、クーロンを発生させる様にした、システムで配管の中で直接、燃焼させるので熱効率は最高で湯量は倍増し逆に燃費は半減させる様にした、弧形並列配管給湯器にして、更に排ガス、排煙は、２５度の角度で吹き出す空気の上流をコアンダ回転流に下流は酸化し分子になった光熱を新鮮な空気に混流させてプラズマトロンに導き完全に燃焼し、公害物全てを清熱にして、大気に排出する、温暖化対策のスターリング伝熱膨張管。【選択図】図２
2009068824.tif 000002
【特許請求の範囲】
【請求項１】
適寸の鋳造製ストリンガーを以って構成し、前面に燃料投入口を設けて開口し  投入口の上部に空気配管を設置し、適寸間隔に空気吹出口のノズル孔を開けエヤシャッター空気を２５度の斜め下に吹き付ける様にして、炉内の空気にてサイクロイドの回転流を起し、ガス化が速やかに行われる様に植物を空気中に包み込む様にしてポテンシヤルで燃焼させたコアンダ、オーバーフラッシュの基本原理の宇宙工学上の空気旋回渦流を発生させる様にしたコアンダ原理
【請求項２】
２５度の斜め下に吹きつけたカスケード送風の上部半分はポテンシャル燃焼に燃え上がった猛煙の煙と炎熱を  弧形並列配管の中に巻き込んで熱交換を励起速やかに水道水を温水にして給湯できる様にした、弧形並列配管、更に燃料は一般ボイラーの半分以下の省エネ方式で、給湯量は逆に２倍以上と効率的で、燃焼熱の排煙は、イオン空気で中和し、アルミナから出る赤外線の電子と磁波そして、排煙変換装置のプラズマトロンで浄化し清熱クーロンにして完全無害環境に優さしい温暖化対応の装置、弧形並列配管による給湯装置、
【発明の詳細な説明】
【技術分野】
【０００１】本発明は効率良くお湯を沸かす装置であり、特別なる燃焼炉で炉内に設置し、下部から給水し、上部から給湯する様に為した給湯器であり、燃焼炉は、灯油、重油、石炭、並びに、バイオマス、木材専用炉等何れかの燃焼機で燃焼した熱を、炉内、右上から吹き出している空気流に合流させて、回転流でコアンダ現象を起した回転渦流にのせ、燃焼炎熱を炉内、上部に集熱配管の表面にとり巻いている表面圧を崩し効率良く、並列配管をもってお湯を沸かす様にした弧形並列配管給湯器である、煙突がなく熱効率９０％と高く  並びに使用する燃料は半分以下と節約でき省エネの技術で、更に地球環境に優さしいバイオマスの燃料を使えば地球温暖化ガスも増減なく（クーロン）の四次元の宇宙エネルギーが取り出される様に為して為る弧形並列配管給湯器
【背景技術】
【０００２】燃焼熱をイオン空気で回転させ光熱にし、炉上に集熱し並列配管で熱交換してお湯を出す装置は全世界になく一般は焚火の様にポテンシヤルボイラーの背景
【発明の開示】
【発明が解決しょうとする課題】
【０００３】世界の１００％は煙突を必要とするボイラーで焚火の様に燃焼物を燃やし炎上ポテンシャルの炎熱で缶体の水を熱し、お湯を取り出す様にしたボイラーにて  当発明は煙突を失くし燃焼熱を光熱にし炉上で回転させて熱を減速して保持並列配管の効率を高め少燃料で通常の数倍のお湯の取出しを最大の目的とす、
【課題を解決するための手段】
【０００４】この課題を解決するための請求項１の発明は、炉内上部に弧形の並列に連結の配管を施し、弧形配管の内部で燃焼させて燃焼熱を回転させて延長し保持させ  大量のお湯が出る様にした装置で最大の目標を解決する為の手段は、燃料を半減させ一般機器の２倍の湯量を出す様にした、課題を解決する為の手段
【０００５】  また、請求項２の発明は、弧形の形をした配管で、まず給水口から下に勾配を２５度前後にし、給水口より揺るやかな下降線をもって配管し、先端は揺く曲げ耐火レンガの水直な壁にそって水直に配管し、次は天井近辺で先端はやはり同じ半円とし、そのまま水平を保ち延長して配管し給湯口まで配管した弧形並列配管
【０００６】  弧形の配管を構成し、その弧形の中で燃焼物を燃焼させ、配管内の水を昇温し給湯口まで燃焼熱を有効に取り入れ最大の熱交換をするものである、並列弧形はスターリング効果があり、安全で危険のない、蒸気も発生させることもできる  弧形形状にて、燃焼物は、重油、灯油、石炭、バイオマス、植物、木材、廃材食品加工残渣、など、無煙でフルオロカーボンもフライアッシュも出ず、その他公害物は一切出さず清熱クーロン燃焼で、燃料費は半減し湯量は倍増の装置
【発明を実施するための最良の形態】
【０００７】  弧形の伝熱管を並列に並べ、ロストル上から、奥壁、天井まで配管して成し燃料を直接配管上で燃やし、伝熱管を直接、熱するので効率は大となる。
【産業上の利用可能性】
【０００８】枯喝するエネルギーの化石燃料と違い、植物を中心にした  バイオエネルギーは永遠に活用できる、並びに価格が安価で経済的で産業上に貢献するものである、更に地球温暖化が解決でき重要な宇宙大気が正常な状態に戻すことが可能なる清熱のクーロンエネルギーである、このクーロンエネルギーは光熱で、あらゆる分野に用途があり、暖房、乾燥、炭化、発電、蒸気、と産業上の利用可能は大で  一番の利点は燃料費が半減することと、次に熱効率が９０％と高いことが可能
【図面の簡単な説明】
【図１】は、スターリング伝熱炉の本体  斜視図
【図２】は、符号の説明
【図３】は、並列配管  伝熱膨張管  斜視図
【図４】は、炉内各部作用図  図３  スターリング  伝熱、膨張管  斜視図  適寸  適間隔で製作した配管の姿図である  図４  炉内各部作用図  ▲１▼、投入口より燃料投入  バイオマスや木材廃材などを投入をする  ▲２▼、の位置で燃焼を開始  底辺炉内で着火、燃焼を開始して炎上す  ▲３▼、に炎熱が燃え上がる  遠赤発生の壁にそって勢い良く燃え上る  ▲４▼、を煙炎熱が通過する  更に天井近辺に集熱して伝熱管で熱交換  ▲５▼、で熱が集熱し加熱す  次に熱は水平に走って炉上の温水缶吸熱  ▲６▼、で半円を画いて下降  熱流はコアンダの風速にのって熱流下降  ▲７▼、で空気と混合し下降  熱流が下降する時に空気と混合して下降  ▲８▼、で更に燃焼が勢いを  更に勢いをもって燃焼物を強製燃焼促進  ▲９▼、で分離したガス分子  燃焼と同時にガスが発生、可燃ガスにて  ▲１０▼、にてイオン空気混合  可燃ガスとマイナスイオンと混合をする  ▲１１▼、のトロンで完全光熱  燃焼ガスをセラミックのトロンで光熱に  ▲１２▼、にて光熱ガス類排出  光熱になった排気物は煙道を通って上昇  ▲１３▼、の排気通路を通って  フルオロ  カーボンもフライアッシュも  ▲１４▼、更に排気口に向って  公害物も何も無く無害の清熱に変換して  ▲１５▼、排気口より大気排出  クーロンの光分子になって大気に排出す  ▲１６▼、より水を給水熱交換  弧形の配管下端の給水口より給水熱交換  ▲１７▼、で更に加熱し昇温し  温水は更に壁にそった水直の配管で吸熱  ▲１８▼、の臨界加熱で給湯を  最後は天井の水平配管で臨界熱水で給湯
【図１】
2009068824.tif 000003
【図２】
2009068824.tif 000004
【図３】
2009068824.tif 000005
【図４】
2009068824.tif 000006